(57)【要約】      （修正有）【課題】素早く連結することができる保護フレーム構造を提供する。【解決手段】素早く連結することができる保護フレーム構造は、主に、電子機器の周囲を覆うように取り付けられ、前記保護フレーム構造は、フレーム体１と蓋体２とからなる。フレーム体における第一面辺縁１１は、内側に延伸してストッパー部１３を形成し、電子機器の表面を覆う。また、フレーム体における第二面辺縁１２には、嵌合溝１４と凸部１６が設けられ、蓋体の側辺には、フレーム体の嵌合溝に嵌合する結合部２１が設けられる。また、蓋体には、フレーム体の凸部に相互に対応するガイド溝及び凸リブが設けられる。【選択図】図６
0003174440.tif 000002
【実用新案登録請求の範囲】
【請求項１】
フレーム体と蓋体とからなる、素早く連結することができる保護フレーム構造であって、
前記保護フレーム構造は、電子機器の周囲を覆うように取り付けられ、
前記フレーム体は、一体成型された四辺体であり、前記フレーム体は、相互に対応する第一面辺縁と第二面辺縁を備え、第一面辺縁と第二面辺縁の間は収容空間を形成し、前記フレーム体における第一面辺縁は内側に延伸してストッパー部を形成し、前記フレーム体における第二面辺縁の三辺の内壁面には嵌合溝が設けられ、第二面辺縁の残りの一辺は開口端を形成し、前記フレーム体における開口端には、少なくとも一つの凸部が凸設され、
前記蓋体は、一体成型された四辺体であるとともに、前記フレーム体の第二面辺縁に結合され、前記蓋体の三辺には、前記フレーム体の嵌合溝に嵌合する結合部が設けられ、前記蓋体の残りの一辺の底面には少なくとも一つのガイド溝が設けられ、前記ガイド溝とフレーム体の凸部は相互に対応し、前記ガイド溝には、凸部と係合する凸リブが設けられることを特徴とする、素早く連結することができる保護フレーム構造。
【請求項２】
前記フレーム体の四辺の側壁には、少なくとも一つの開孔が設けられることを特徴とする、請求項１に記載の素早く連結することができる保護フレーム構造。
【考案の詳細な説明】
【技術分野】
【０００１】
本考案は素早く連結することができる保護フレーム構造に関し、特に一体成型された四辺体のフレーム体と蓋体を、スライド移動方式（即ち、直線移動方式）で相互に嵌合させ、蓋体の凸リブをフレーム体の凸部と係合させることにより、フレーム体を素早く且つ安定して電子機器の周囲に覆わせることができ、保護の効果を得ることができる保護フレーム構造に関する。
【背景技術】
【０００２】
従来の保護フレーム構造は、おおまかに以下の二つに分けることができる。一つは、メインフレームにサブフレームを組み合わせてなる保護フレームであり、もう一つは、二つの独立した辺フレームからなる保護フレームである。その内、メインフレームにサブフレームを組み合わせてなる保護フレーム構造では、前記メインフレームとサブフレームは相互に対応する四辺形であり、螺合部材でサブフレームをメインフレーム背面に螺合することで、保護フレームをスマートフォン或いはタブレットＰＣの周囲に取り付けることができる。また、二つの独立した辺フレームを組み合わせてなる保護フレーム構造は、「コ」字形辺フレームを「一」字形辺フレームに組み合わせてなる四辺形辺フレームであるか，或いは、「Ｌ」字形辺フレームを逆「Ｌ」字形辺フレームに組み合わせてなる四辺形辺フレームであり、螺合部材を利用して二つの独立した辺フレームを相互に連結させることにより、保護フレームをスマートフォン或いはタブレットＰＣの周囲に取り付けることができる。
【０００３】
しかしながら、従来の保護フレーム構造は、必ず螺合部材で連結させる必要があり、使用者が保護フレームを取り付ける或いは取り外す時に不便であるだけでなく、保護フレームは複数の螺合部材を余分に追加しなければならず、スマートフォンやタブレットＰＣの重量を重くしてしまう。
【考案の概要】
【考案が解決しようとする課題】
【０００４】
そこで、本考案は、素早く連結することができる保護フレーム構造を提供することを目的とする。
【課題を解決するための手段】
【０００５】
本考案による素早く連結することができる保護フレーム構造は、主に、電子機器の周囲を覆うように取り付けられる。前記保護フレーム構造は、フレーム体と蓋体とからなる。前記フレーム体は一体成型された四辺形であり、相互に対応する第一面辺縁と第二面辺縁を備える。第一面辺縁と第二面辺縁の間には、電子機器設置を取り付ける収容空間が形成され、フレーム体における第一面辺縁は内側に延伸してストッパー部を形成する。また、フレーム体における第二面辺縁の三辺の内壁面には嵌合溝が設けられ、残りの一辺は開口端を形成する。また、前記フレーム体における開口には少なくとも一つの凸部が凸設される。前記蓋体は、一体成型された四辺形であり、その三辺には、フレーム体の嵌合溝と嵌合する結合部が設けられる。また、前記蓋体の残りの一辺の底面には、フレーム体の凸部に対応する少なくとも一つのガイド溝が設けられ、ガイド溝には、凸部と係合する凸リブが設けられる。以上の構造により、電子機器をフレーム体に入れると、フレーム体における第一面辺縁のストッパー部によって電子機器の周縁表面が覆われ、更に、フレーム体における第二面辺縁の嵌合溝を、蓋体の結合部に、スライド移動方式（即ち、直線移動方式）で相互に嵌合させることで、電子機器のもう一つの表面周縁を覆うことができる。それにより、蓋体のガイド溝内の凸リブとフレーム体の凸部が係合し、蓋体が外れるのを防ぐことができる。
【図面の簡単な説明】
【０００６】
【図１】本考案の保護フレームの使用実施例を示した説明図である。
【図２】本考案の保護フレームの組合せを示した説明図である。
【図３】本考案の保護フレームの組合せを示した側面断面図である。
【図４】本考案の保護フレームの一部を示した拡大断面図である。
【図５】本考案の保護フレームの組合せを示した側面図である。
【図６】本考案の保護フレームの使用状態を示した説明図である。
【考案を実施するための形態】
【０００７】
図１から図６に示すように、本考案による素早く連結することができる保護フレーム構造は、主に、電子機器３の周囲を覆うように取り付けられる。前記保護フレーム構造は、フレーム体１と蓋体２とからなる。
【０００８】
フレーム体１は、一体成型された四辺体であり、相互に連結された四辺の側壁、及び、相互に対応する第一面辺縁１１と第二面辺縁１２を備える。第一面辺縁１１及び第二面辺縁１２の間には、電子機器３を取り付ける収容空間１０が形成され、フレーム体１における第一面辺縁１１は内側に延伸してストッパー部１３を形成する。また、フレーム体１における第二面辺縁１２の三辺の内壁面には嵌合溝１４が設けられ、残りの一辺は開口端１５を形成する。また、フレーム体１における開口端１５には、少なくとも一つの凸部１６が凸設される。また，フレーム体１の四辺の側壁には、少なくとも一つの開孔１７が設けられる。なお、フレーム体１の材質は、金属、或いは非金属からなる。
【０００９】
蓋体２は、一体成型された四辺体であるとともに、フレーム体１の第二面辺縁１２に結合され、蓋体２の三辺には、フレーム体１の嵌合溝１４に嵌合される結合部２１が設けられる。また、蓋体２の残りの一辺の底面には少なくとも一つのガイド溝２２が設けられ、ガイド溝２２は、フレーム体１の凸部１６と相互に対応し、ガイド溝２２内には、凸部１６と係合する凸リブ２３が設けられる。また、蓋体２の材質は、金属、或いは、非金属からなる。
【００１０】
以上の構造のフレーム体１に設けられた収容空間１０に電子機器３を取り付けることにより、フレーム体１における第一面辺縁１１のストッパー部１３によって電子機器３の表面周縁が覆われ、電子機器３が外れてしまうのを防ぐことができる。また、フレーム体１における第二面辺縁１２の嵌合溝１４を蓋体２の結合部２１に嵌合させることにより、蓋体２をフレーム体１の開口端１５から入れてスライド移動方式（即ち、直線移動方式）によってフレーム体１と蓋体２を素早く相互に嵌め合わせることができ、それにより、電子機器３のもう一つの表面周縁を覆うことができる。また，蓋体２をフレーム体１に嵌め込んだ時、蓋体２のガイド溝２２内の凸リブ２３がフレーム体１の凸部１６と係合され、凸部１６によって凸リブ２３が止められ、蓋体２が外れるのを防ぐことができる。それにより、本考案の保護フレームは、工具や螺合部材がなくても、素早く安定して電子機器３の周囲を覆わせることができ、保護する効果を得ることができる。
【００１１】
また、フレーム体１の四辺の側壁には、電子機器３に設けられたキーやスロットの一に応じて少なくとも一つの開孔１７が設けられる。それにより、本考案の保護フレームを電子機器３の周囲に取り付けた時に、電子機器３の元々の操作インターフェイスに影響することがない。
【符号の説明】
【００１２】
１        フレーム体              
１０      収容空間
１１      第一面辺縁      
１２      第二面辺縁
１３      ストッパー部          
１４      嵌合溝
１５      開口端          
１６      凸部
１７      開孔            
２        蓋体
２１      結合部          
２２      ガイド溝
２３      凸リブ            
３        電子機器
【図１】
0003174440.tif 000003
【図２】
0003174440.tif 000004
【図３】
0003174440.tif 000005
【図４】
0003174440.tif 000006
【図５】
0003174440.tif 000007
【図６】
0003174440.tif 000008